(57)【要約】【課題】格子状のリブを裏面に有する床パネル四枚の裏面の隅部に、支持具上側の支持板の四組の嵌合突起のそれぞれが嵌合される床パネルの支持部において、床パネルの支持板への螺子部材による結着作業の容易化や結着強度の向上を図る。【解決手段】格子状のリブを裏面に有する床パネル四枚の裏面の隅部に、支持具上側の支持板の四組の嵌合突起のそれぞれが嵌合される床パネル支持部において、各床パネル４の中心ｏに向けられて両端繋結の平行リブ３が前記の各嵌合突起２とは別にまたは各嵌合突起２の一部をなすように設けられ、各床パネルが各平行リブ３内の間隙巾ｅよりも大なる螺子谷径ｄを有する螺子部材５の平行リブ間への入り込みにより結着されている。【選択図】図４
2005282088.tif 000002
【特許請求の範囲】
【請求項１】
格子状のリブを裏面に有する床パネル四枚の裏面の隅部に、支持具上側の支持板の四組の
嵌合突起のそれぞれが嵌合される床パネル支持部において、各床パネルの中心に向けて両
端繋結の平行リブが前記の各嵌合突起とは別にまたは各嵌合突起の一部をなすように設け
られ、各床パネルが各平行リブ間の間隙巾よりも大なる螺子谷径を有する螺子部材の平行
リブ間への入り込みにより結着されていることを特徴とする床パネルの支持部。
【請求項２】
床パネル四枚の隅部の格子目の内郭が方形とされ、嵌合突起が前記内郭にほぼ等しい外郭
の方形枠状とされ、平行リブがその方形枠内に配されて平行リブの両端が方形枠に一体化
されていることを特徴とする請求項１記載の床パネルの支持部。
【請求項３】
支持具支持板上の平行リブ間の間隙上に対応する床パネルの位置に沿って、窪みまたは長
孔が設けられていることを特徴とする請求項１または２記載の床パネルの支持部。
【請求項４】
嵌合突起及び平行リブが支持板に一体に熱可塑性樹脂により成形されていることを特徴と
する請求項１〜３何れか記載の床パネルの支持部。
【請求項５】
床パネルが木質片充填熱可塑性樹脂により成形されていることを特徴とする請求項１〜４
何れか記載の床パネルの支持部。
【発明の詳細な説明】
【技術分野】
【０００１】
本発明は床パネルの支持部に関し、例えば二重床の支持に使用されるものである。
【背景技術】
【０００２】
近来、オフィス・オートメーション化に伴うＯＡ機器の高密度配置を予定したオフィス
のほか、学校研究施設、マンション等の集合住宅の床構造として、床スラブ面上に所定の
前後・左右の間隔で床支持具を配設し、これら床支持具の上端に支持板を取付け、パーチ
クルボード等の下地材パネルをそのコーナ部を支持板支承するようにして敷設し、これら
の下地材を支持板に固定し、更に敷設下地材上に捨て張りやフローリングを施した二重床
が使用されている。
前記支持具の支持板への床パネルの固定構造として、床パネルの裏面に格子状リブを一
体に形成し、床パネル裏面の隅部の格子に、支持板に一体の嵌合突起を嵌合することが知
られている。（例えば、特許文献１、特許文献２等）
【０００３】
【特許文献１】特開平７−２３３６１４号公報
【特許文献２】実開平５−３２５６８号公報
【発明の開示】
【発明が解決しようとする課題】
【０００４】
しかしながら、床パネルの格子と支持具支持板の嵌合突起との嵌合のみでは、捨て張り
やフローリングを施すまでに床パネルに荷重がかかると、床パネルが浮き上がって床パネ
ルの微妙な高さ調整を満足に行ない難い。
また、捨て張りやフローリングを省略して下地パネル上に直接、カーペットを敷くと、
踏み荷重による下地パネルの浮き上がりやきしみ音の発生が避けられない。
床パネルを支持具の合成樹脂製支持板の嵌合突起にビス等で結着することが知られてい
るが（特許文献２等）、合成樹脂は木材とは異なり切り粉が発生し難くビスの打ち込みが
容易ではない。
【０００５】
本発明の目的は、格子状のリブを裏面に有する床パネル四枚の裏面の隅部に、支持具上
側の支持板の四組の嵌合突起のそれぞれが嵌合される床パネルの支持部において、床パネ
ルの支持板への螺子部材による結着作業の容易化や結着強度の向上を図ることにある。
【課題を解決するための手段】
【０００６】
請求項１に係る床パネルの支持部は、格子状のリブを裏面に有する床パネル四枚の裏面
の隅部に、支持具上側の支持板の四組の嵌合突起のそれぞれが嵌合される床パネル支持部
において、各床パネルの中心に向けられて両端繋結の平行リブが前記の各嵌合突起とは別
にまたは各嵌合突起の一部をなすように設けられ、各床パネルが各平行リブ間の間隙巾よ
りも大なる螺子谷径を有する螺子部材の平行リブ間への入り込みにより結着されているこ
とを特徴とする。
【０００７】
請求項２に係る床パネルの支持部は、請求項１の床パネルの支持部において、床パネル
四枚の隅部の格子目の内郭が方形とされ、嵌合突起が前記内郭にほぼ等しい外郭の方形枠
状とされ、平行リブがその方形枠内に配されてその両端が方形枠に一体化されていること
を特徴とする。
【０００８】
請求項３に係る床パネルの支持部は、請求項１または２の床パネルの支持部において、
支持具支持板上の平行リブ間の間隙上に対応する床パネルの位置に沿って、窪みまたは長
孔が設けられていることを特徴とする。
【０００９】
請求項４に係る床パネルの支持部は、請求項１〜３何れかの床パネルの支持部において
、嵌合突起及び平行リブが支持板に一体に熱可塑性樹脂により成形されていることを特徴
とする。
【００１０】
請求項５に係る床パネルの支持部は、請求項１〜４何れかの床パネルの支持部において
、床パネルが木質片充填熱可塑性樹脂により成形されていることを特徴とする。
【発明の効果】
【００１１】
両端繋結の平行リブを支持具の支持板に一体に設け、床パネルからこの平行リブ間に、
螺子谷径がその平行リブの間隙巾よりも大なる螺子部材を捩じ込み乃至は打ち込みにより
入り込ませてあり、平行リブが合成樹脂製であっても、平行リブの対向面の樹脂が螺子部
材による剪断変形で前記間隙に逃がされ、捩じ込み乃至は打ち込みをスムーズに行ない得
る。
更に、前記平行リブの両端が繋結されているから、螺子部材の前記入り込みに対し平行
リブの横方向への拡がりを防止して平行リブの対向面に螺子部材の螺子山をよく食い込ま
せ得、強固な螺結が可能である。
更に、平行リブの長手方向力に対する強度が長手方向と直角方向の力に対する強度より
も大であり、平行リブの長手方向を床パネルの中心に向く方向に一致させてあるから、床
パネルの踏み荷重や積載荷重を平行リブでも効果的に負担させ得、支持板への床パネルの
結着強度をそれだけ増強できる。
【発明を実施するための最良の形態】
【００１２】
以下、図面を参照しつつ本発明の実施の形態について説明する。
図１の（イ）は本発明において使用される支持具の支持板の一実施形態を示す斜視図、
図１の（ロ）は同じく平面図である。
図１において、１は支持板であり、中央に支持具の支持シャフトを取り付けるための貫
通孔１１が設けられている。２は支持板１に設けた方形枠からなる四箇の嵌合突起であり
、後述の格子の内郭に圧接される凸条２１，２１が設けられている。３は後述する床パネ
ルの中央点に向かう方向（支持板の中央点に対する放射線方向とき逆方向）で嵌合突起２
内に設けられた平行リブであり、両端が方形枠に繋結されている。
図１の（ロ）において、ａは前記四箇の嵌合突起の外回りの間隔を、ｂは内回りの間隔
を、ｃは方形枠状嵌合突起の一辺の長さをそれぞれ示している。
前記の嵌合突起付き支持板は平行リブと共に合成樹脂で一体に成形されている。
【００１３】
図２は本発明において使用される床パネル４の一実施形態を示す裏面図である。
図２において、４１は天板部、４２，…は天板部の裏面に一体成形された格子状のリブ
であり、四隅の格子目４０の内郭寸法をｃ×ｃとし、外回りに臨む格子目以外の格子目の
内郭寸法をａ×ａとするように、横方向リブ及び縦方向リブが所定の間隔で成形されてい
る。
格子の深さは前記嵌合突起２や平行リブ３の高さよりも深くしてある。
【００１４】
図３は十字状交差で敷き並べられた床パネル４，…と支持板１との結着状態を示し、各
床パネルの裏面隅部の内郭寸法ｃ×ｃの格子目４０に支持板１の各嵌合突起２が嵌合され
、更に、後述するように、各床パネルが各嵌合突起内の平行リブ間への螺子部材、例えば
木ネジの捩じ込みやビスの打ち込みにより支持板に結着されている。
支持板の四箇の嵌合突起の外回りの寸法ａ×ａが床パネル裏面の中央側の格子目の内郭
寸法ａ×ａに一致されているから、図３中のＡで示すように、床パネル裏面の中央側も支
持具の支持板の四嵌合突起の嵌合により支持し、また図３中のＢで示すように隣り合う床
パネルのサイド間も支持具の支持板の四嵌合突起の嵌合により支持することが可能である
。
【００１５】
図４の（イ）は床パネルの隅部と支持具の支持板との螺子部材による結着部を示す平面
図、図４の（ロ）は図４の（イ）におけるロ−ロ断面図、図４の（ハ）は図４の（ロ）に
おけるハ−ハ断面図である。
図４において、５は螺子部材、例えば木ネジであり、螺子谷径ｄが平行リブ３の間隙巾
ｅよりも大とされている。従って、床パネル４の上面から捩じ込まれた木ネジ等５の螺子
溝が平行リブ３の間隙内の対向面の樹脂に食い込み、この食い込みにより剪断変形された
樹脂が平行リブ３内の間隙に逃がされつつ木ネジ等５の捩じ込みが進められていく。この
場合、木材と異なり樹脂が粘性を有し、切り粉が殆んど発生しない。しかし、木ネジを切
り粉の発生がなくてもスムーズに捩じ込んでいくことができる。しかも、平行リブの両端
が方形枠状嵌合突起２の内郭に繋結されているから、平行リブ３の間隙巾の拡大を螺子部
材５の捩じ込みにもかかわらずよく防止でき、平行リブ３の間隙内の対向面樹脂への螺子
部材５の螺子山の食い込みを充分に確保できる。
【００１６】
図４において、床パネル４に作用する踏み荷重や積載荷重のために、上記螺子部材５を
支点として床パネルの中心点ｏに向かう引っ張り力Ｆが作用し、この引っ張り力Ｆが嵌合
突起２の床パネル格子４０目への嵌合界面と螺子部材５とで支持される。
前記した通り、螺子部材５の螺子山が平行リブ３内の対向面樹脂に深く食い込んでおり
、この食い込み界面を経て平行リブ３に伝わる前記の引っ張り力の一部を、平行リブ３が
長手方向に対し大なる強度を呈するために安定に分担させ得、床パネルを踏み荷重や積載
荷重に対し強固に固定できる。
【００１７】
前記平行リブの長さＬと螺子部材頭部の直径Ｄとは、Ｌ≧Ｄとすることが好ましい。
【００１８】
前記床パネル４の上面には、平行リブ間の間隙上に対応する位置に沿い窪みまたは長孔
４００を設けることができる。この場合、床パネルの嵌合後、螺子止めする際に螺子部材
の捩じ込みまたは打ち込み位置を床パネル上面から容易に認識できる、窪みまたは長孔が
ガイドとなるので螺子部材としてのビスの打ち込み位置のぶれを防止できる、止め直す際
でも既に穿設した孔を避けて容易に螺子部材を再度捩じ込みまたは打ち込むことができる
、等の利点を得ることができる。
【００１９】
螺子部材５には、木ネジ乃至はねじ釘若しくはビスまたはタッピングボルトを使用でき
る。
【００２０】
床パネル４には、木材、竹材の粉砕若しくは切削体等の植物片と熱可塑性樹脂との混練
素材をプレス成形または射出成形したものを使用できる。
植物片には、木材、竹材の粉砕若しくは切削体、若しくは種子またはその殻若しくは脱
穀残留体、植物繊維の何れか一種または二種以上の混合物から成る植物由来素材を使用で
き、木材、竹材の粉砕若しくは切削体としては、建築物解体時に発生する廃木材、間伐材
等の廃木材を利用して森林資源の消費の抑制を図ることが望ましい。
熱可塑性樹脂としては、ポリプロピレン、ポリエチレン、ポリスチレン、ポリブテン、
ポリイソプレン、エチレン−酢酸ビニル共重合体、エチレン−エチルアクリレート共重合
体、ＡＡＳ、ＡＢＳ、ＡＣＳ、ＡＥＳ等のアクリロニトリル−スチレン系共重合体、ポリ
アミド、ポリカーボネート、ポリエチレンテレフタレート、ポリブチレンテレフタレート
等のエステル系樹脂、メタクリル、ポリウレタン、ポリ塩化ビニル、塩素化ポリ塩化ビニ
ル等の単体若しくは複合体を使用できる。硬化性樹脂としては、不飽和ポリエステル、ポ
リウレタン、ポリフェノール、ポリエポキシ等を挙げることができる。樹脂と植物片との
界面接着強度を増すために接着剤成分を添加することができ、ポリオレフィン等の非極性
樹脂においては、酸変性ポリオレフィン若しくは酸変性オレフィンオリゴマー等の変性樹
脂を添加することが好ましい。また、プラスチック廃材を利用してリサイクルを図ること
が好ましい。
植物片の配合量は３０〜８０重量％とすることが好ましい。３０〜８０重量％に限定す
る理由は、３０％未満では切断等の加工性を充分に付与し難く、８０％を超えると加熱プ
レスや射出成形が困難になるからである。
【００２１】
上記の実施形態では、床パネルの格子目に嵌合される嵌合突起を方形枠状としているが
、格子目に嵌合される形状であれば適宜の形状にできる。例えば、図５に示すように、十
字状交差で敷き並べられる四枚床パネルの隅部の格子４０に突起片２００と突起片２０１
との組を嵌合させ、突起片２００，２０１間に平行リブ３を設けることもできる。
【００２２】
前記嵌合突起に対する両端繋結平行リブの配設パターンは、図６に示すように、嵌合突
起２を嵌合させる床パネル裏面の格子目４０に対し床パネル中心側に隣在している別の格
子目４００内に両端繋結平行リブ３を配設するパターンとすることもできる。図６におい
て、１は嵌合突起２と両端繋結平行リブ３とを一体に成形した支持具支持板を示している
。
要するに、支持具における支持板の四箇の嵌合突起に四枚の床パネル裏面の隅部におけ
る格子を嵌合することにより、床パネルの位置決めを行なうことができれば適宜の形状の
嵌合突起を使用できる。
【００２３】
前記の両端繋結の平行リブ３は例えば図７に示すように嵌合突起２の一部を構成するよ
うに設けてもよい。この場合、支持板中央点を通る線と交わる床パネル裏面の隅の格子目
４０の両コーナ４０１，４０２のうち、内側のコーナ４０１に突起片２０が当接され、平
行リブ３の繋結先端が外側のコーナ４０２に当接される。
【図面の簡単な説明】
【００２４】
【図１】本発明において使用される支持具の支持板の一例を示す図面である。
【図２】本発明において使用される床パネルの一例を示す図面である。
【図３】図１に示す支持板の嵌合突起と図２に示す床パネルとの嵌合状態を示す図面である。
【図４】本発明の一実施例を示す図面である。
【図５】本発明における支持板の嵌合突起と平行リブとの上記とは別の例を示す図面である。
【図６】本発明における支持板の嵌合突起と平行リブとの上記とは別の例を示す図面である。
【図７】本発明における支持板の嵌合突起と平行リブとの上記とは別の例を示す図面である。
【符号の説明】
【００２５】
１          支持具の支持板
２          嵌合突起
２０        嵌合突起
２０１      嵌合突起
２０２      嵌合突起
３          平行リブ
４          床パネル
４０        格子目
５          螺子部材
【図１】
2005282088.tif 000003
【図２】
2005282088.tif 000004
【図３】
2005282088.tif 000005
【図４】
2005282088.tif 000006
【図５】
2005282088.tif 000007
【図６】
2005282088.tif 000008
【図７】
2005282088.tif 000009